(57)【要約】【課題】手繰り寄せられた状態のストッキングを速やかに得ることが出来ると共に、手繰り寄せられた状態のストッキングを得る際にストッキングを傷つけないようにすることが出来る、新規な構造のストッキング類の手繰り寄せ補助具を提供することを、目的とする。【解決手段】ストッキング１４の中に差し入れられる棒状体１２においてストッキング１４の中に差し入れるほうの先端部分１６に対して、棒状体１２がストッキング１４の中から引き抜かれる際にストッキング１４が引っ掛けられる引掛部２２を設ける一方、棒状体１２において先端部分１６と反対側の基端部分３０に対して、使用者が把持する把持部３０を設けた。【選択図】図１
0003128631.tif 000002
【実用新案登録請求の範囲】
【請求項１】
ストッキングの中に差し入れられる棒状体と、
該棒状体において前記ストッキングの中に差し入れる方の先端部分に設けられて、該棒状体が該ストッキングの中から引き抜かれる際に該ストッキングが引っ掛けられる引掛部と、
前記棒状体において前記先端部分と反対側の基端部分に設けられて、使用者が把持する把持部と
を、備えていることを特徴とするストッキング類の手繰り寄せ補助具。
【請求項２】
前記引掛部には、前記ストッキングに対する滑り止めが設けられている請求項１に記載のストッキング類の手繰り寄せ補助具。
【請求項３】
前記引掛部が、前記棒状体の前記先端部分において外周面上で突出していると共に、この突出した引掛部の突出先端面が前記基端部分のほうに傾いている請求項１又は２に記載のストッキング類の手繰り寄せ補助具。
【請求項４】
前記棒状体の前記先端部分が該棒状体の中心軸に対して傾斜して延びる曲部とされていると共に、該曲部の内側面から突出するようにして突起が設けられており、該突起によって前記引掛部が構成されている請求項１乃至３の何れか１項に記載のストッキング類の手繰り寄せ補助具。
【請求項５】
前記棒状体の軸方向先端側からの投影において、該棒状体の前記先端部分における前記曲部が前記突起を覆い隠すようになっている請求項４に記載のストッキング類の手繰り寄せ補助具。
【請求項６】
前記引掛部が前記棒状体よりも軟質の材料で別体形成されて、前記棒状体の前記先端部分に取り付けられている請求項１乃至５の何れか１項に記載のストッキング類の手繰り寄せ補助具。
【請求項７】
前記棒状体の前記先端部分において前記引掛部が一体形成されている請求項１乃至５の何れか１項に記載のストッキング類の手繰り寄せ補助具。
【請求項８】
前記棒状体が伸縮可能とされており、使用に際して伸長状態が維持される一方、収縮状態で収納することが出来る請求項１乃至７の何れか１項に記載のストッキング類の手繰り寄せ補助具。
【請求項９】
前記棒状体の前記基端部分において該棒状体の中心軸線回りの位置を識別可能な目印が設けられている請求項１乃至８の何れか１項に記載のストッキング類の手繰り寄せ補助具。
【請求項１０】
前記目印が前記把持部によって構成されている請求項９に記載のストッキング類の手繰り寄せ補助具。
【請求項１１】
前記引掛部が、前記棒状体の中心軸回りの全周に亘って形成されている請求項１乃至１０の何れか１項に記載のストッキング類の手繰り寄せ補助具。
【考案の詳細な説明】
【技術分野】
【０００１】
本考案は、パンティーストッキングやストッキング、タイツ等（以下、「ストッキング類」又は「ストッキング」として総称する）を着用する際に使用する、ストッキング類の手繰り寄せ補助具に関するものである。
【背景技術】
【０００２】
パンティーストッキング等を着用するには、長く延びたそのままの状態で脚をつま先から差し入れると、思ったように履くことが難しい。このことは、パンティーストッキング等を日常的に着用している女性にとって、良く知られている。
【０００３】
そこで、一般に、パンティーストッキング等を着用するに際しては、先ず、両手の親指をストッキングにおける脚の差し入れ口から内側に入れて、両手の全ての指を使ってストッキングの足先部分までを手中に手繰り寄せ、その後、かかる手繰り寄せ状態のストッキングの全体を足先に被せた後、徐々にストッキングを引き上げて履くようにされる。
【０００４】
ここにおいて、パンティーストッキング等は、非常に細い繊維で長く編み上げられていることから、両手の指を使って手繰り寄せる際に、爪や荒れた手等が繊維に引っ掛かって繊維が損傷してしまい易い。繊維の一部が損傷すると、それがパンティーストッキング等の長手方向に延びて広がり、いわゆる伝線状態となって廃棄せざるを得なくなる。
【０００５】
また、両手を使ってストッキングを手繰り寄せると、ストッキングを手繰り寄せている際に、ストッキングが周方向に捩れたり、傾いたりし易い。これに気付かずにストッキングを履くと、着用状態でも捩じれてしまって、踵の位置がずれたり、局部的に締め付けられたような装用感が生じたりして、良好な着用状態が得られない。このような捩じれ等が着用時に発生すると、着用したままの状態で修正することが極めて困難であり、一度ストッキングを脱いで、再び初めから着用作業を繰り返さなければならず、その作業が非常に面倒である。
【０００６】
そこで、このような問題に対処するために、Ｖ字形のプラスチック系樹脂丸棒成形品の上部支持中間部に凹部ストッキング溜めを設けて手繰り寄せられるようにした、ストッキング類の手繰り寄せ着用補助器具が提案されている（特許文献１参照）。
【０００７】
しかしながら、特許文献１に記載のストッキング類の手繰り寄せ着用補助器具は、片方の手で補助器具を持って、この保持器具をストッキングにおける脚の差し入れ口に留め置き、もう片方の手でストッキングを脚の差し入れ口側から先端側に向かって徐々に手繰り寄せつつ凹部ストッキング溜めに引っ掛けてゆくようになっていることから、片手でのストッキングの手繰り寄せの作業が非常に難しく、巧く操作することが出来ない。しかも、結局、ストッキングをその脚の差し入れ口側から先端側に向かって徐々に手繰り寄せてゆく作業自体は、そのような補助器具を使用しない従来方法と何等変わらないことから、爪や荒れた手等が繊維に引っ掛かって伝線するおそれがあるという上述の問題について、何等の解決策を与えるものでないのである。
【０００８】
【特許文献１】特開２０００−１５４号公報
【考案の開示】
【考案が解決しようとする課題】
【０００９】
ここにおいて、本考案は、上述の如き事情を背景として為されたものであって、その解決課題とするところは、手繰り寄せられた状態のストッキングを速やかに得ることが出来ると共に、手繰り寄せられた状態のストッキングを得る際にストッキングを傷つけないようにすることが出来る、新規な構造のストッキング類の手繰り寄せ補助具を提供することにある。
【課題を解決するための手段】
【００１０】
以下、このような課題を解決するために為された本考案の態様を記載する。なお、以下に記載の各態様において採用される構成要素は、可能な限り任意の組み合わせで採用可能である。
【００１１】
本考案のストッキング類の手繰り寄せ補助具は、ストッキングの中に差し入れられる棒状体においてストッキングの中に差し入れるほうの先端部分に対して、棒状体がストッキングの中から引き抜かれる際にストッキングが引っ掛けられる引掛部が設けられている一方、棒状体において先端部分と反対側の基端部分に対して、使用者が把持する把持部が設けられていることを、特徴とする。
【００１２】
このような本考案に従う構造とされたストッキング類の手繰り寄せ補助具にあっては、ストッキングの中に差し入れられた棒状体を引き抜く際において、棒状体の先端部分に設けられた引掛部に対してストッキングが引っ掛けられるようになっていることから、ストッキングの中に差し入れられた棒状体を引き抜くことにより、ストッキングにおいてその中に差し入れられた棒状体の引掛部に引っ掛かった部分（一般に、つま先の部分）よりも把持部側に位置する部分を脚の差し入れ口側に引き寄せることが出来る。これにより、ストッキングが恰も手繰り寄せられたかの如き状態とされる。
【００１３】
従って、本考案に従う構造とされたストッキング類の手繰り寄せ補助具においては、ストッキングの中に差し入れられた棒状体の先端部分に設けられた引掛部に対してストッキングを引っ掛けた状態で棒状体を引き抜く方向に動かす操作（以下、ストッキング手繰り寄せ作業と称する）を行うだけでストッキングが恰も手繰り寄せたかの如き状態となることから、手繰り寄せられた状態のストッキングを簡単な作業で速やかに得ることが可能となる。
【００１４】
また、従来のようにストッキングを直接手で触って手繰り寄せる必要がないことから、爪や荒れた手がストッキングの繊維に引っ掛かることがなくなる。その結果、手繰り寄せられた状態のストッキングを得る際のストッキングの傷付きを可及的に回避できる。
【００１５】
なお、本考案においては、棒状体の長さがストッキングの長さ寸法に比して充分に短く形成されることは、言うまでもない。即ち、ストッキングに棒状体を差し入れる際には、棒状体を持つ作業者の手や腕もストッキングの中に差し入れることが出来るし、或いは、そのような作業をしなくても、棒状体の先端の引掛部を、ストッキングの途中まで差し入れた状態でストッキングをもう片方の手で手繰り寄せるようにして徐々に先端に向かって深く差し入れることが出来るからである。また、例えば、ストッキング手繰り寄せ作業を一回行うだけで、ストッキングの太もも部分から足先部分までを一度に手繰り寄せることなく、ストッキング手繰り寄せ作業を複数回に分けて行うことも出来る。
【００１６】
また、本考案におけるストッキング（或いは、ストッキング類）とは、太ももまでの長さの女子用靴下（所謂、ストッキング）だけでなく、パンティ部が付いた薄手のストッキング（所謂、パンティストッキング）やパンティ部が付いた厚手のストッキング（所謂、タイツ）の他、膝あたりまでの靴下状のストッキング等の各種を含む。
【００１７】
さらに、本考案における棒状体とは、幅方向の寸法に比して長手方向の寸法が十分に大きく設定されているものをいい、ロッド状部材だけでなく、板状部材等も含む。また、本考案における棒状体は、長手方向の一方から他方へと行くに従って断面の形状や大きさ等が変化するものであっても良い。
【００１８】
更にまた、本態様における棒状体の形成材料としては、木や竹，金属，合成樹脂等が好適に採用される。特に、本考案では、棒状体の表面が滑らかにされていることが望ましい。これにより、ストッキング手繰り寄せ作業の際に、ストッキングにおいて引掛部よりも把持部側に位置する部分を引掛部側に寄せることを速やかに且つ容易に行うことが可能となる。
【００１９】
また、本考案における棒状体は、一つの部材で構成されていても良いし、複数の部材で構成されていても良い。そこにおいて、本考案における棒状体は、伸縮可能であっても良い。それによって、ストッキング類の手繰り寄せ補助具が、携帯し易くなる。なお、この場合の伸縮可能とは、棒状体の長手方向寸法を変更することが可能なことをいい、そのための構造として、スライド構造だけでなく、折り畳み構造や組立構造を採用することも可能である。使用時には、摩擦や係止等の公知の構造によって伸長状態に保持される。
【００２０】
また、本考案における引掛部は、ストッキングを引っ掛けることが可能であれば、その形状や大きさ等は、特に限定されるものではないが、ストッキングとの間で発生する摩擦力や係止構造等を利用することによってストッキングを引っ掛けることが出来るものであることが望ましい。具体的には、例えば、引掛部に接触しているストッキングに対して外力が作用した際にストッキングが滑り動くことを防止する滑り止めが引掛部に設けられていることが望ましい。これにより、ストッキングの中に差し入れられた棒状体をストッキングの中から引き抜く際に引掛部に対してストッキングを引っ掛けることが有利に実現され得ることとなる。
【００２１】
すなわち、ストッキングは足先部分が縫い合わされて閉じられていることにより、全体として袋状構造とされているから、棒状体に設けられた引掛部より先の部分において、必ずストッキングがあることになる。それ故、ストッキングにおいて引掛部よりも先の部分に外力が作用すると、ストッキングにおいて引掛部よりも把持部側に位置する部分が、引掛部を乗り越えて滑り動こうとする。しかしながら、上述の如く引掛部に滑り止めが設けられている場合には、ストッキングにおいて引掛部よりも把持部側に位置する部分が引掛部を乗り越えて滑り動こうとすることを有利に阻止することが可能となる。これにより、引掛部に対してストッキングが引っ掛かった状態を有利に維持することが可能となる。その結果、ストッキング手繰り寄せ作業の際に、ストッキングにおいて引掛部よりも把持部側に位置する部分を引掛部側へ寄せることを有利に実現することが可能となる。
【００２２】
また、ストッキングとの間で発生する摩擦力を利用してストッキングを引っ掛ける引掛部が採用されている場合には、ストッキングを引掛部から取り外す際にストッキングを傷つけないようにすることも可能となる。
【００２３】
なお、本考案における滑り止めとは、例えば、引掛部の表面等によって構成される。具体例を挙げれば、例えば発泡樹脂等の微細な凹凸や開口部のエッジ等を利用して、ストッキングの繊維を係止させること等が有効であり、軟質の発泡樹脂で引掛部を構成することで、ストッキングを必要以上に係止させて損傷させることも防止される。また、そのような係止作用は、巨視的には摩擦作用とも考えられ、広い面積によってストッキングに係止作用を及ぼすことが出来ることから、局部的に係止力が作用することに起因するストッキングの損傷も回避され得る。
【００２４】
また、本考案における引掛部の形成材料としては、ストッキングと引掛部との間で発生する摩擦力を大きくすることが出来るものであることが望ましい。具体的には、例えば、発泡シリコーンや発泡ポリプロピレン，発泡ナイロン，発泡ポリエチレン等の樹脂発泡体のほか、化粧用パフの形成材料として従来から公知の連続気泡構造のフォームラバー基材等が好適に採用される。
【００２５】
また、本考案においては、引掛部が、棒状体の先端部分において外周面上で突出していると共に、この突出した引掛部の突出先端面が基端部分のほうに傾いていることが望ましい。これにより、ストッキング手繰り寄せ作業の際に引掛部側へ寄せられてきたストッキングをその状態に維持することが有利に実現され得ることとなる。また、引掛部の突出先端面が基端部分のほうに傾いていることから、斜め方向に棒状体を引き抜く場合であっても、引掛部の突出端面に対してストッキングを接触させやすくなっている。これにより、引掛部とストッキングとの接触面積を大きく確保することが可能となる。その結果、引掛部とストッキングとの間で発生する摩擦力を大きく確保することが可能となる。なお、棒状体の外周面上とは、棒状体の中心軸回りの表面をいう。例えば、引掛部が全体として傾いて突出していても良い。
【００２６】
さらに、本考案においては、棒状体の先端部分に対して、棒状体の中心軸に対して傾斜して延びる曲部を形成し、この曲部の内側面から突出するようにして突起を設けて、かかる突起により引掛部を構成した態様が採用され得る。これにより、ストッキング手繰り寄せ作業の際に引掛部側へ寄せられてきたストッキングをその状態に維持することが有利に実現され得ることになると共に、引掛部とストッキングとの接触面積を大きく確保して、引掛部とストッキングとの間で発生する摩擦力を大きく確保することが可能となる。なお、曲部は、棒状体から屈曲でも湾曲でも枝のような分岐突起等でも良く、具体的な形態は限定されるものでない。
【００２７】
そこにおいて、上述の如き構成を採用する場合、棒状体の軸方向先端側からの投影において、棒状体の先端部分における曲部が突起を覆い隠すようになっていることが望ましい。これにより、棒状体をストッキングの中に差し入れる際において、突起がストッキングに引っ掛かることを避けることが可能となる。
【００２８】
さらに、本考案においては、引掛部が棒状体よりも軟質の材料で別体形成されて、棒状体の先端部分に取り付けられていても良い。これにより、引掛部に対してストッキングを引っ掛けることが有利に実現され得ると共に、ストッキング手繰り寄せ作業の際にストッキングを引掛部のほうに寄せることが有利に実現され得る。なお、引掛部の棒状体への取付方法としては、接着や螺子，係止等の各種構造が採用される。
【００２９】
更にまた、本考案においては、棒状体の先端部分において湾曲や屈曲、枝出などの何等かの態様で一体的に突出部が形成されていることにより、かかる棒状体そのものに一体的に引掛部が形成されていても良い。この場合、ストッキング類の手繰り寄せ補助具の製造の部品点数を少なくできる。
【００３０】
また、本考案においては、棒状体の基端部分において棒状体の中心軸線回りの位置を識別可能な目印が設けられていることが望ましい。これにより、ストッキング手繰り寄せ作業の際に引掛部のほうへ寄せられるストッキングが傾いたり周方向で捩れたりすることを有利に回避することが可能となる。なお、本考案における目印は、基端部分の形状や彩色，刻印等によって、有利に構成される。
【００３１】
そこにおいて、上述の如き構成を採用する場合には、目印が把持部によって構成されていることが望ましい。これにより、目印を別途形成する必要がなくなる。把持部によって構成されているとは、例えば把持部を中心軸回りの方向性をもった形状のデザインとすること等である。
【００３２】
また、本考案においては、引掛部が棒状体の中心軸回りの全周に亘って形成されていても良い。この場合、引掛部に周方向性がなくなり、棒状体をストッキングの中に入れる際に引掛部の位置を確認しなくても良くなる。
【考案を実施するための最良の形態】
【００３３】
以下、本考案を更に具体的に明らかにするために、本考案の実施形態について、図面を参照しつつ、詳細に説明する。
【００３４】
図１及び図２には、本考案の第一の実施形態としてのストッキング類の手繰り寄せ補助具（以下、手繰り寄せ補助具１０と称する）が示されている。
【００３５】
この手繰り寄せ補助具１０は、棒状体としての補助具本体１２を備えている。この補助具本体１２は、木材によって形成されており、全体として長手平板形状を呈している。なお、本実施形態の補助具本体１２の表面は、ヤスリやサンドペーパー等で磨かれて滑らかにされており、それによって、補助具本体１２に接触しているストッキング１４（後述する）が補助具本体１２に対して滑りやすくされている。
【００３６】
また、本実施形態では、補助具本体１２の長手方向一方の端部１６が板厚方向一方の側に湾曲せしめられており、それによって、補助具本体１２の長手方向一方の端部１６に曲部としての湾曲部１８が形成されている。特に本実施形態では、湾曲部１８が形成されていることにより、補助具本体１２の長手方向一端が補助具本体１２の長手方向に対して直交する方向に向くようになっている。
【００３７】
そして、本実施形態では、上述の如く補助具本体１２の長手方向一端に形成された湾曲部１８の内側面としての凹状面２０から突出するようにして引掛部（突起）としての引掛用部材２２が設けられている。この引掛用部材２２は、化粧用パフの形成材料として従来から公知の連続気泡構造のファームラバー基材によって形成されており、全体として厚肉の円板形状を呈している。
【００３８】
なお、このような引掛用部材２２は、アクリルニトリル−ブタジエンゴム（ＮＢＲ）や天然ゴム（ＮＲ）等からなる原料ラテックスに対して加硫剤や安定剤等を加えたもの（配合ラテックス）に気泡用空気を混入し、機械的攪拌操作を行った後、所定の金型内へ注入して、ゲル化を完成させ、更に、加熱加硫を行い、その後、洗浄，脱水，乾燥を得ることによって得られたファームラバー基材を適当な形状に裁断した後、研磨や粉取り等をすることで得られるようになっている。
【００３９】
そして、上述の如き引掛用部材２２は、湾曲部１８の凹状面２０に対して接着剤で接着されている。これにより、引掛用部材２２は、その突出先端面２４が補助具本体１２の長手方向他端側に向かって下る傾斜面となるようにして、即ち、補助具本体１２の長手方向他端側に傾くようにして、補助具本体１２の長手方向一方の端部１６に設けられている。
【００４０】
そこにおいて、本実施形態では、湾曲部１８の凹状面２０に取り付けられた状態の引掛用部材２２は、補助具本体１２の長手方向での投影において、その全体が補助具本体１２において湾曲部１８に対して重なるようになっている。換言すると、本実施形態では、補助具本体１２を長手方向一端側から長手方向に沿って見た場合、補助具本体１２における湾曲部１８によって引掛用部材２２が見えないようになっているのである。
【００４１】
続いて、このような構造とされた手繰り寄せ補助具１０の使用方法について説明する。先ず、使用者は、図３や図４に示されているように、一方の手２８で補助具本体１２の長手方向他端部分３０を持ち、その補助具本体１２を、他方の手３２で持ったストッキング１４の中に長手方向一端側から入れる。そこにおいて、本実施形態の場合、使用者は、補助具本体１２を水平方向に移動させるようにして長手方向一端側からストッキング１４の中に入れるようになっている。なお、上述の説明から明らかなように、本実施形態では、補助具本体１２の長手方向一方の端部１６によって先端部分が構成されている一方、補助具本体１２の長手方向他端部分３０によって基端部分が構成されており、かかる基端部分によって把持部が構成されている。
【００４２】
そして、上述の如く補助具本体１２を水平方向に移動させるようにしてストッキング１４の中に入れた後、補助具本体１２を少し斜め下方に向けると共に、ストッキング１４を補助具本体１２に沿わせるようにして弛ませると、図５に示されているように、引掛用部材２２にストッキング１４が被せられて、引掛用部材２２の突出先端面２４にストッキング１４が接触するようになる。これにより、引掛用部材２２とストッキング１４との間で摩擦力を発生させることが可能となる。その結果、ストッキング１４は、引掛用部材２２との間で発生する摩擦力よりも大きな力が作用しない限り、引掛用部材２２上を移動しないようになっている。なお、このことから明らかなように、本実施形態では、引掛用部材２２の突出先端面２４によって滑り止めが構成されている。
【００４３】
この状態で補助具本体１２をストッキング１４の中から引き抜くと、ストッキング１４は、引掛用部材２２との間で発生する摩擦力によって、補助具本体１２の長手方向一端側への移動が阻止されていることから、図６に示されているように、引掛用部材２２よりも長手方向他端部分３０側に位置する部分が引掛用部材２２側に寄せられるようになっている。
【００４４】
そして、上述の如く、補助具本体１２のストッキング１４の中からの引き抜きが行われることによって略全体が引掛用部材２２のほうに寄せられたストッキング１４は、引掛用部材２２への引っ掛け状態が解除されることにより、恰も手繰り寄せられたかの如き状態で手繰り寄せ補助具１０から取り外されることになる。
【００４５】
なお、本実施形態では、補助具本体１２を水平方向に移動させてストッキング１４の中に入れるようになっていたが、補助具本体１２を斜め下方に向けて移動させてストッキング１４の中に入れるようにしても良い。また、補助具本体１２のストッキング１４の中への差し入れと補助具本体１２のストッキング１４の中からの引き抜きを複数回繰り返すことによって、ストッキング１４の略全体が手繰り寄せられた状態となるようにしても良い。
【００４６】
上述の如き構造とされた手繰り寄せ補助具１０においては、補助具本体１２においてストッキング１４の中に入れられるほうの端部（長手方向一方の端部１６）に設けられた引掛用部材２２にストッキング１４を引っ掛けた状態で補助具本体１２をストッキング１４の中から引き抜くことにより、ストッキング１４において引掛用部材２２よりも長手方向他端部分３０側に位置する部分を引掛用部材２２側へ寄せることが出来るようになっていることから、手繰り寄せた状態のストッキング１４を簡単な作業で速やかに得ることが可能となる。
【００４７】
また、従来のように直接手で触れてストッキング１４を寄せる必要がなくなることから、手繰り寄せられた状態のストッキング１４を得る際に、爪や荒れた手等でストッキング１４を傷つけないようにすることが可能となる。
【００４８】
さらに、本実施形態では、引掛用部材２２が補助具本体１２から突出するようにして設けられていることから、ストッキング１４の中から補助具本体１２を引き抜く際に引掛用部材２２のほうへ寄せられたストッキング１４をその状態に維持することが容易に可能となる。
【００４９】
また、本実施形態では、引掛用部材２２の突出先端面２４にストッキング１４が接触している状態でストッキング１４の中から補助具本体１２が引き抜かれるようになっていることから、引掛用部材２２の突出先端面２４とストッキング１４との間で摩擦力が作用することにより、ストッキング１４が引掛用部材２２に引っ掛かった状態が有利に実現されることとなる。その結果、ストッキング１４の中から補助具本体１２を引き抜く際に、ストッキング１４において引掛用部材２２よりも長手方向他端部分３０側に位置する部分を引掛用部材２２のほうへ寄せることが有利に実現され得ることとなる。
【００５０】
特に本実施形態では、引掛用部材２２の突出先端面２４が長手方向他端部分３０のほうに傾いていることから、補助具本体１２を斜め下に傾けた状態であっても、引掛用部材２２の突出先端面２４にストッキング１４を接触させることが可能となる。これにより、補助具本体１２を斜め方向に引き抜く場合であっても、ストッキング１４において引掛用部材２２よりも長手方向他端部分３０側に位置する部分を引掛用部材２２のほうへ寄せることが可能となる。
【００５１】
また、本実施形態では、補助具本体１２の長手方向での投影において引掛用部材２２が補助具本体１２の湾曲部１８によって覆い隠されるようになっていることから、補助具本体１２をストッキング１４の中に差し入れる際に引掛用部材２２がストッキング１４に引っ掛からないようにすることが可能となる。
【００５２】
更にまた、本実施形態では、補助具本体１２が全体として長手平板形状とされていることから、補助具本体１２の長手方向に延びる中心軸線：Ｌ回りでの補助具本体１２の位置を容易に確認することが可能となる。その結果、ストッキング１４の中から補助具本体１２を引き抜く際に、引掛用部材２２のほうに寄せられたストッキング１４が中心軸線：Ｌに対して傾いていたり中心軸線：Ｌ回りで捩れていたりすることを有利に回避することが可能となる。なお、このことから明らかなように、本実施形態では、長手方向他端部分３０によって目印が構成されている。
【００５３】
続いて、本発明の第二の実施形態としてのストッキング類の手繰り寄せ補助具（以下、手繰り寄せ補助具３４と称する）について説明する。本実施形態の手繰り寄せ補助具３４は、図７及び８に示されているように、引掛部としての引掛用部材３６が長手方向一端に取り付けられた先端側板部材３８を含んで構成された棒状体としての補助具本体４０を備えている。
【００５４】
この先端側板部材３８は、木材によって形成されており、全体として長手平板形状を呈している。なお、本実施形態では、先端側板部材３８の表面は、ヤスリやサンドペーパー等で磨かれて滑らかにされている。また、先端側板部材３８の長手方向一方の端部４２には、引掛用部材３６が取り付けられている。そこにおいて、本実施形態の引掛用部材３６は、円柱をその中心軸線に対して斜めに切断した形状とされている。そして、引掛用部材３６は、楕円形切断面が先端側板部材３８に重ね合わされた状態で接着剤によって接着されることにより、先端側板部材３８の長手方向一方の端部４２に取り付けられている。なお、引掛用部材３６は、第一の実施形態と同様な材料によって形成されている。また、先端側板部材３８の長手方向他端には、先端側板部材３８の幅方向外方に突出する一対の係止突起４４，４４が設けられている。
【００５５】
このような構造とされた先端側板部材３８は、中間連結部材４６に対してスライド変位可能に組み付けられている。この中間連結部材４６は、先端側板部材３８が収容位置せしめられる凹溝４８が形成された第一構成部材５０とかかる第一構成部材５０に対して凹溝４８の上側開口を覆い隠すように取り付けられる第二構成部材５２を備えている。
【００５６】
より詳細には、第一構成部材５０は、木材によって形成されており、凹溝４８の両側壁５４，５４の長手方向一端には、凹溝４８の幅方向内方に向かって突出する一対のストッパ片５６，５６が設けられている一方、凹溝４８の長手方向他端には、凹溝４８の両側壁５４，５４を連結するストッパ壁５８が設けられている。
【００５７】
そして、上述の如き構造とされた第一構成部材５０の凹溝４８に対して、先端側板部材３８が、ストッパ壁５８側にその長手方向他端が位置するようにして、収容位置せしめられている。これにより、先端側板部材３８は、凹溝４８が延びる方向にスライド変位可能な状態で凹溝４８に収容されていることとなり、第一構成部材５０の長手方向一端側への変位が、先端側板部材３８の長手方向他端に設けられた一対の係止突起４４，４４が第一構成部材５０の長手方向一端側に設けられた一対のストッパ片５６，５６に当接することによって規制されるようになっている一方、第一構成部材５０の長手方向他端側への変位が、先端側板部材３８の長手方向他端が第一構成部材５０の長手方向他端に設けられたストッパ壁５８に当接することによって規制されるようになっている。
【００５８】
そして、上述の如く、凹溝４８に先端側板部材３８が収容位置せしめられた状態で、凹溝４８の上側開口を覆い隠すようにして、平板形状を呈する、木製の第二構成部材５２が接着剤によって第一構成部材５０の両側壁５４，５４やストッパ壁５８の上端面に接着されるようになっている。これにより、先端側板部材３８が凹溝４８の上側開口から抜け出してしまうことが防止されている。
【００５９】
このようにして、先端側板部材３８がスライド変位可能に組み付けられた中間連結部材４６は、把持部としての把持用部材６０に対して一軸回りに回動可能な状態で組み付けられている。より詳細には、把持用部材６０は、それぞれ木材によって形成された一対の把持用板６２，６２が所定距離を隔てて対向位置せしめられた状態で、複数本（本実施形態では、２本）の連結軸６４によって連結された構造とされている。なお、本実施形態では、２本の連結軸６４は、それぞれ、金属材によって形成されており、一対の把持用板６２，６２のそれぞれに形成された凹所６５に軸方向端部が嵌め入れられることにより、一対の把持用板６２，６２を連結するようになっている。
【００６０】
そして、中間連結部材４６を構成する第一構成部材５０において凹溝４８が形成されたほうとは反対側の板面に突設された突部６６に対して第一構成部材５０の幅方向に延びるように形成された挿通孔６８に一方の連結軸６４が挿通されるようになっている。これにより、中間連結部材４６が把持用部材６０に対して一軸回りに回動可能な状態で組み付けられている。
【００６１】
このような構造とされた手繰り寄せ補助具３４においては、図９に示されているように、中間連結部材４６を把持用部材６０に対して一軸回りに回動せしめた後、図１０に示されているように、先端側板部材３８を中間連結部材４６から引き出すことにより、引掛用部材３６が取り付けられた先端側板部材３８の長手方向一端から把持用部材６０の長手方向他端までの長さ、即ち、補助具本体４０の長手方向の長さを長くすることが出来るようになっている。そして、本実施形態では、補助具本体４０の長手方向寸法が長くされた状態は、挿通孔６８の内周面と一方の連結軸６４との間での摩擦力や、先端側板部材３８と中間連結部材４６との間での摩擦力によって維持されるようになっている。なお、上述の説明から明らかなように、本実施形態では、先端側板部材３８と中間連結部材４６と把持用部材６０によって補助具本体４０が構成されている。
【００６２】
そして、このようにして、長手方向寸法が長くされた補助具本体４０をストッキングの中に入れて引掛用部材３６にストッキングを接触させた状態で補助具本体４０をストッキングの中から引き抜くことにより、引掛用部材３６から把持用部材６０側に位置するストッキングを引掛用部材３６の方へ寄せることが可能となる。
【００６３】
従って、本実施形態の手繰り寄せ補助具３４においても、第一の実施形態と同様な効果を得ることが可能となる。
【００６４】
また、本実施形態では、補助具本体４０の長手方向寸法が変更可能とされていることから、手繰り寄せ補助具３４を使用しないときには、先端側板部材３８を中間連結部材４６内に引っ込めると共に、中間連結部材４６を把持用部材６０内に位置せしめて、補助具本体４０の長手方向寸法を短くすることにより、手繰り寄せ補助具３４を携帯することが有利に実現出来るようになっている。
【００６５】
続いて、本発明の第三の実施形態としてのストッキング類の手繰り寄せ補助具（以下、手繰り寄せ補助具７０と称する）について説明する。本実施形態の手繰り寄せ補助具７０は、図１１に示されているように、棒状体としての補助具本体７２が複数本（本実施形態では、２本）の管体７４，７６をスライド変位可能に組み付けた構造とされている。
【００６６】
より詳細には、補助具本体７２を構成する２本の管体７４，７６は、それぞれ、金属材や合成樹脂材によって形成されており、一方の管体（以下、第一の管体７４と称する）の外径寸法が他方の管体（以下、第二の管体７６と称する）の内径寸法よりも小さくされている。また、第一の管体７４の軸方向一端には、引掛部としての引掛用部材７８が取り付けられている。
【００６７】
この引掛用部材７８は、全体として矩形ブロック形状を呈しており、その中心軸線からずれた位置において厚さ方向一方の端面から突出する挿通突起８０が形成された形状とされている。なお、引掛用部材７８は、第一の実施形態の引掛用部材（２２）と同様な材料によって形成されている。
【００６８】
そして、このような引掛用部材７８は、第一の管体７４が第二の管体７６の長手方向他端側から挿通された後に第一の管体７４の長手方向一端側の開口に挿通突起８０が差し込まれて固定されるようになっている。その際、接着剤を使用して、第一の管体７４と引掛用部材７８を固定するようにしても良い。
【００６９】
また、第一の管体７４の長手方向他端側には、環状のストッパ片８２が設けられている一方、第二の管体７６の長手方向一端側には、環状の係止片８４が設けられている。そして、第一の管体７４のストッパ片８２が第二の管体７６の係止片８４に当接せしめられることにより、第一の管体７４が第二の管体７６から引き出される方向への変位が制限されるようになっている。
【００７０】
また、本実施形態では、環状のストッパ片８２の外周面と第二の管体７６の内周面との間で発生する摩擦力によって第一の管体７４が第二の管体７６から引き出された状態が維持されるようになっている。
【００７１】
また、第二の管体７６の長手方向他端の開口には蓋体８５が嵌め込まれており、かかる蓋体８５によって第一の管体７４が第二の管体７６側へ引込む方向の変位が制限されるようになっている。
【００７２】
このような構造とされた手繰り寄せ補助具７０においては、使用者が把持部としての第二の管体７６を持ってストッキングの中に補助具本体７２を入れて、引掛用部材７８にストッキングを接触させた状態で補助具本体７２をストッキングの中から引き抜くことにより、引掛用部材７８よりも第二の管体７６側に位置するストッキングを引掛用部材７８の方へ寄せることが出来るようになっていることから、第一の実施形態と同様な効果を得ることが可能となる。
【００７３】
また、本実施形態においては、手繰り寄せ補助具７０を使用しない場合には、第一の管体７４を第二の管体７６内に引っ込めて補助具本体７２の長手方向寸法を短くすることが出来るようになっていることから、手繰り寄せ補助具７０を携帯することが有利に実現され得ることとなる。
【００７４】
以上、本発明の幾つかの実施形態について詳述してきたが、これらはあくまでも例示であって、本発明は、かかる実施形態における具体的な記載によって、何等、限定的に解釈されるものではない。
【００７５】
例えば、前記第一の実施形態では、補助具本体１２が全体として長手平板形状とされて略一定の断面形状で長手方向に延びていたが、図１２及び図１３に示されているように、補助具本体８６の長手方向中間部分に略円形断面で延びるロッド形状部分８８が設けられていても良い。なお、理解を容易にするために、第一の実施形態と同様な構造とされた部材及び部位については、図中に、第一の実施形態と同一の符号を付してある。
【００７６】
また、図１４及び図１５に示されているように、長手方向一端に全体として矩形ブロック形状を呈する支持台９０を設けて、その支持台９０に対して引掛用部材２２を取り付けるようにしても良い。なお、理解を容易にするために、図１４及び図１５において、第一の実施形態と同様な構造とされた部材及び部位については、第一の実施形態と同一の符号を付してある。
【００７７】
さらに、前記第二の実施形態では、補助具本体の長手方向寸法を変化させる構造として一軸回りに回動させる構造と長手方向にスライド変位させる構造の両方が採用されていたが、これらの何れか一方のみを採用することにより、補助具本体の長手方向寸法を変化させるようにしても良い。
【００７８】
更にまた、前記第三の実施形態において、第二の管体７６の軸方向他端側開口を覆蓋する蓋体８５の代わりに、図１６及び図１７に示されているように、略半円形断面で延びるロッド部９２を備えた蓋体９４を用いて第二の管体７６の軸方向他端側開口を覆蓋するようにしても良い。これにより、筒状外周面を有する補助具本体７２であっても、補助具本体７２の周方向位置を有利に特定することが可能となり、その結果、補助具本体７２をストッキングの中から引き抜く際に補助具本体７２が中心軸線に対して傾いたり周方向で捩れたりすることを有利に回避することが可能となる。このことから明らかなように、図１６及び図１７に示されている手繰り寄せ補助具９５においては、ロッド部９２によって目印が構成されている。なお、理解を容易にするために、図１６及び図１７においては、第三の実施形態と同様な構造とされた部材及び部位については、第三の実施形態と同一の符号を付してある。
【００７９】
また、図１８や図１９に示されているように、棒状体としての補助具本体９６の長手方向一端に設けられた突起９８に対して、底壁部１００と周壁部１０２を備えたキャップ形状を呈する引掛部としての引掛用部材１０４を外挿して組み付けることにより、補助具本体９６の長手方向一端、即ち、ストッキングの中に入れられるほうの先端部分に対して引掛用部材１０４を取り付けるようにしても良い。
【００８０】
更にまた、第一の実施形態では、補助具本体１２に対して別体形成された引掛用部材２２が取り付けられていたが、補助具本体１２をストッキングの中から水平方向に引き抜く場合には、図２０及び図２１に示されているように、別体形成された引掛用部材（２２）が取り付けられていない補助具本体１２を備える手繰り寄せ補助具１０６を採用することも可能である。そして、この手繰り寄せ補助具１０６では、補助具本体１２の長手方向一方の端面１０８によって引掛部が構成されることとなる。即ち、図２０及び２１に示す手繰り寄せ補助具１０６は、棒状体としての補助具本体１２に対して引掛部が一体形成された構造とされているのである。なお、理解を容易にするために、図２０及び図２１において、第一の実施形態と同様な部材及び部位については、第一の実施形態と同一の符号を付してある。
【００８１】
また、図２２に示されているように、引掛部としての引掛用部材７８が長手方向一端に設けられた第一の管体７４の長手方向他端に設けられた取付ねじ１１０を第二の管体７６の長手方向一端に設けられたねじ穴１１２に螺着することにより、棒状体としての補助具本体１１４を構成する第一の管体７４と第二の管体７６を軸方向で連結して、補助具本体１１４の長手方向寸法を変化させるようにしても良い。なお、理解を容易にするために、図２２において、第三の実施形態と同様な構造とされた部材及び部位については、第三の実施形態と同一の符号を付してある。
【００８２】
また、図２３に示されているように、中実又は中空の円形ロッド形状とされた棒状体１２０の先端部分において、その外周面上に突出する大径突部１２２を一体形成し或いは別部材を外嵌固着して構成することにより、この大径突部１２２によって、周方向性のない引掛部を構成することも可能である。
【００８３】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００８４】
【図１】本発明の第一の実施形態としての手繰り寄せ補助具を示す側面図。
【図２】図１に示された手繰り寄せ補助具の上面図。
【図３】ストッキングに補助具本体を差し入れている状態を説明するための説明図。
【図４】ストッキングの中での補助具本体とストッキングの状態を説明するための説明図。
【図５】ストッキングを弛ませた状態を説明するための説明図。
【図６】ストッキングを寄せた状態を説明するための説明図。
【図７】本発明の第二の実施形態としての手繰り寄せ補助具を示す断面図であって、図８におけるＶＩＩ−ＶＩＩ断面図。
【図８】図７におけるＶＩＩＩ−ＶＩＩＩ断面図。
【図９】中間連結部材を把持用部材に対して回動させた状態を示す側面図。
【図１０】図９の状態から先端側板部材を引き出した状態を示す側面図。
【図１１】本発明の第三の実施形態としての手繰り寄せ補助具を示す断面図である。
【図１２】本発明の手繰り寄せ補助具として採用可能な態様を説明するための平面図。
【図１３】図１２に示された手繰り寄せ補助具の側面図。
【図１４】本発明の手繰り寄せ補助具として採用可能な他の態様を説明するための平面図。
【図１５】図１４に示された手繰り寄せ補助具の側面図。
【図１６】本発明の手繰り寄せ補助具として採用可能な別の態様を説明するための断面図。
【図１７】図１６に示された手繰り寄せ補助具に採用されている蓋体の端面図。
【図１８】本発明の手繰り寄せ補助具として採用可能な更に別の態様を説明するための断面図。
【図１９】図１８に示された手繰り寄せ補助具の平面図。
【図２０】本発明の手繰り寄せ補助具として採用可能な他の態様を説明するための平面図。
【図２１】図２０に示された手繰り寄せ補助具の側面図。
【図２２】本発明の手繰り寄せ補助具として採用可能な他の態様を説明するための平面図。
【図２３】本発明の手繰り寄せ補助具として採用可能な他の態様を説明するための斜視図。
【符号の説明】
【００８５】
１０：手繰り寄せ補助具，１２：補助具本体，１４：ストッキング，１６：長手方向一方の端部，２２：引掛用部材，３０：長手方向他端部分
【図１】
0003128631.tif 000003
【図２】
0003128631.tif 000004
【図３】
0003128631.tif 000005
【図４】
0003128631.tif 000006
【図５】
0003128631.tif 000007
【図６】
0003128631.tif 000008
【図７】
0003128631.tif 000009
【図８】
0003128631.tif 000010
【図９】
0003128631.tif 000011
【図１０】
0003128631.tif 000012
【図１１】
0003128631.tif 000013
【図１２】
0003128631.tif 000014
【図１３】
0003128631.tif 000015
【図１４】
0003128631.tif 000016
【図１５】
0003128631.tif 000017
【図１６】
0003128631.tif 000018
【図１７】
0003128631.tif 000019
【図１８】
0003128631.tif 000020
【図１９】
0003128631.tif 000021
【図２０】
0003128631.tif 000022
【図２１】
0003128631.tif 000023
【図２２】
0003128631.tif 000024
【図２３】
0003128631.tif 000025